(57)【特許請求の範囲】
【請求項１】
横方向へ延びる両端縁部と、縦方向へ延びる両側縁部とを有し、前記縦方向に前胴周り域および後胴周り域と、それら胴周り域の間に位置する股下域とを備え、前記前後胴周り域を連結するための雄型テープファスナが、前記後胴周り域の両側縁部に取り付けられ、前記テープファスナを係脱可能に止着する雌型ターゲットテープが、前記前胴周り域の外面に取り付けられた使い捨て着用物品において、
前記前後胴周り域と前記股下域との少なくとも該前胴周り域が、前記横方向と前記縦方向との少なくとも該横方向へ弾性伸縮性を有し、前記ターゲットテープが、多数の繊維を集合させた繊維集合物から形成され、
前記繊維集合物が、前記繊維どうしを固着した固定部位と、前記繊維どうしを非固着の非固定部位とを有し、多数の前記繊維集合物が、前記前胴周り域の外面を前記横方向へ所与寸法離間並列して前記縦方向へ延び、前記繊維集合物の固定部位が前記前胴周り域に固着されていることを特徴とする前記物品。
【請求項２】
前記ターゲットテープが、前記繊維集合物と、前記横方向と前記縦方向との少なくとも該横方向へ弾性伸縮性を有する可撓性のシート部材とから形成され、
多数の前記繊維集合物が、前記シート部材の外面を前記横方向へ所与寸法離間並列して前記縦方向へ延び、前記繊維集合物の固定部位が前記シート部材に固着され、前記シート部材の内面が、前記繊維集合物の固定部位近傍において前記前胴周り域の外面に固着されている請求項１記載の物品。
【請求項３】
前記繊維集合物の非固定部位が、前記前胴周り域の外面外方へ向かって隆起している請求項１または請求項２に記載の物品。
【請求項４】
前記物品が、肌対向側に位置する透液性表面シートと、肌非対向側に位置する不透液性裏面シートと、それらシートの間に介在する吸液性コアとから形成され、前記表面シートと前記裏面シートとの少なくとも該裏面シートが、前記横方向と前記縦方向との少なくとも該横方向へ弾性伸縮性を有する請求項１ないし請求項３いずれかに記載の物品。
【発明の詳細な説明】
【０００１】
【発明の属する技術分野】
本発明は、排泄物を吸収、保持する使い捨て着用物品に関する。
【０００２】
【従来の技術】
後胴周り域の両側縁部に取り付けられたテープファスナと、前胴周り域の外面に取り付けられたターゲットテープとを有する開放型の使い捨ておむつは公知である。おむつの一例としては、マジックテープやベルクロテープ等の商品名で知られる互いに係脱可能なフック部材とループ部材とのうちのフック部材をテープファスナの自由端部に取り付け、ターゲットテープとなる矩形のループ部材を前胴周り域の外面に取り付けてフック部材に対する止着域を形成したものがある。おむつの着用時には、テープファスナの自由端部をターゲットテープに止着し、前胴周り域と後胴周り域とを連結する。
【０００３】
そのようなおむつとしては、特開平９−３８１３９号公報や特開平９−１９１９０８号公報、特開平１０−３０９２９９号公報、特開平１０−３２８２３７号公報に開示されている。それら公報に開示のおむつでは、ターゲットテープとして非伸縮性のループ部材が使用されている。
【０００４】
【発明が解決しようとする課題】
横方向と縦方向とに弾性伸縮性を有するおむつでは、ターゲットテープとなる非伸縮性のループ部材を実質的に非伸長下にある前胴周り域に取り付けると、ターゲットテープを取り付けた前胴周り域の領域の伸縮性がターゲットテープに拘束され、領域における伸縮性が失われてしまう。
【０００５】
本発明の課題は、弾性伸縮性を有する着用物品であって、実質的に非伸長下にある前胴周り域の外面にターゲットテープを取り付けたとしても、前胴周り域における伸縮性が失われることがない使い捨て着用物品を提供することにある。
【０００６】
【課題を解決するための手段】
前記課題を解決するための本発明の前提は、横方向へ延びる両端縁部と、縦方向へ延びる両側縁部とを有し、前記縦方向に前胴周り域および後胴周り域と、それら胴周り域の間に位置する股下域とを備え、前記前後胴周り域を連結するための雄型テープファスナが、前記後胴周り域の両側縁部に取り付けられ、前記テープファスナを係脱可能に止着する雌型ターゲットテープが、前記前胴周り域の外面に取り付けられた使い捨て着用物品である。
【０００７】
かかる前提において、本発明の特徴は、前記前後胴周り域と前記股下域との少なくとも該前胴周り域が、前記横方向と前記縦方向との少なくとも該横方向へ弾性伸縮性を有し、前記ターゲットテープが、多数の繊維を集合させた繊維集合物から形成され、前記繊維集合物が、前記繊維どうしを固着した固定部位と、前記繊維どうしを非固着の非固定部位とを有し、多数の前記繊維集合物が、前記前胴周り域の外面を前記横方向へ所与寸法離間並列して前記縦方向へ延び、前記繊維集合物の固定部位が前記前胴周り域に固着されていることにある。
【０００８】
本発明の実施の態様の一例としては、前記ターゲットテープが、前記繊維集合物と、前記横方向と前記縦方向との少なくとも該横方向へ弾性伸縮性を有する可撓性のシート部材とから形成され、多数の前記繊維集合物が、前記シート部材の外面を前記横方向へ所与寸法離間並列して前記縦方向へ延び、前記繊維集合物の固定部位が前記シート部材に固着され、前記シート部材の内面が、前記繊維集合物の固定部位近傍において前記前胴周り域の外面に固着されている。
【０００９】
本発明の実施の態様の他の一例としては、前記繊維集合物の非固定部位が、前記前胴周り域の外面外方へ向かって隆起している。
【００１０】
本発明の実施の態様の他の一例としては、前記物品が、肌対向側に位置する透液性表面シートと、肌非対向側に位置する不透液性裏面シートと、それらシートの間に介在する吸液性コアとから形成され、前記表面シートと前記裏面シートとの少なくとも該裏面シートが、前記横方向と前記縦方向との少なくとも該横方向へ弾性伸縮性を有する。
【００１１】
【発明の実施の形態】
添付の図面を参照し、本発明にかかる使い捨て着用物品の詳細を開放型の使い捨ておむつを例として説明すると、以下のとおりである。
【００１２】
図１，２は、表面シート２の側から示す使い捨ておむつ１Ａの部分破断斜視図と、図１のＡ−Ａ線端面図とであり、図３は、図１のＢ−Ｂ線端面図である。図１では、横方向を矢印Ｘで示し、縦方向を矢印Ｙで示す。なお、表裏面シート２，３の内面とは、コア４に対向する面をいい、それらシート２，３の外面とは、コア４に非対向の面をいう。
【００１３】
おむつ１Ａは、透液性表面シート２と、不透液性裏面シート３と、それらシート２，３の間に介在する吸液性コア４と、表面シート２の上方へ起立性向を有する実質的に不透液性の防漏カフ５とを有する。
【００１４】
表裏面シート２，３とカフ５とは、縦方向と横方向とへ弾性伸縮性を有するシートから形成されている。コア４は、非伸長状態にある表面シート２の内面に接合されている。
【００１５】
おむつ１Ａは、縦方向に前胴周り域２０および後胴周り域２２と、前後胴周り域２０，２２の間に位置する股下域２１とを備え、横方向へ延びる両端縁部６と、縦方向へ延びる両側縁部７とを有する。両側縁部７は、股下域２１において横方向内方へ向かって弧を画いている。
【００１６】
おむつ１Ａでは、両端縁部６に横方向へ延びる帯状の胴周り用弾性部材８が伸長状態で取り付けられ、股下域２１における両側縁部７に縦方向へ延びる複数条の脚周り用弾性部材９が伸長状態で取り付けられている。
【００１７】
おむつ１Ａでは、後胴周り域２２の両側縁部７に一対のテープファスナ１０が取り付けられ、前胴周り域２０における裏面シート３の外面にテープファスナ１０の止着域となるターゲットテープ１１が取り付けられている。
【００１８】
テープファスナ１０は、両側縁部７に固着された基端部１０ａと、ターゲットテープ１１に係脱可能に止着する自由端部１０ｂとを有する。自由端部１０ｂには、メカニカルファスナのうちのフック部材１２が取り付けられている。図１では、一方のテープファスナ１１の自由端部１０ｂが表面シート２の外面の側へ向かって折曲され、表面シート２に仮着されている。
【００１９】
ターゲットテープ１１は、互いに並行して縦方向へ延びる多数の長繊維を集合させた繊維集合物１３から形成されている。繊維集合物１３は、長繊維どうしを固着した固定部位１４と、長繊維どうしを非固着の非固定部位１５とを有する。繊維集合物１３では、その上端部１３ａと下端部１３ｂとに固定部位１４が形成され、上端部１３ａと下端部１３ｂとの間に非固定部位１５が形成されている。繊維集合物１３では、非固定部位１５が裏面シート３の外面外方へ向かって隆起している。
【００２０】
固定部位１４では、ホットメルト型接着剤１６を使用して長繊維どうしを固着している。固定部位１４では、ホットメルト型接着剤１６の他に、ヒートシールや超音波接合等の熱による溶着手段を利用して長繊維を溶融、固化させ、長繊維どうしを固着してもよい。
【００２１】
前胴周り域２０では、多数の繊維集合物１３が裏面シート３の外面を横方向へ所与寸法離間並列して縦方向へ延び、繊維集合物１３の固定部位１４がホットメルト型接着剤１６を介して裏面シート３に固着されている。裏面シート３にそれら繊維集合物１３を固着するときには、表裏面シート２，３が横方向と縦方向とへ非伸長状態にある。
【００２２】
カフ５は、おむつ１Ａの両側縁部７を縦方向へ延びている。カフ５は、コア４の両側縁４ｂの外側近傍を縦方向へ延びる固定縁部５ａと、固定縁部５ａに並行して縦方向へ延びる自由縁部５ｂと、前後胴周り域２０，２２に位置しておむつ１Ａの横方向内方へ倒伏した固定両端部５ｃとを有する。カフ５は、その固定縁部５ａがおむつ１Ａの両側縁部７に固着され、その固定両端部５ｃがおむつ１Ａの両端縁部６に固着されている。
【００２３】
カフ５では、固定縁部５ａから横方向外方へ側部５ｄが延びている。自由縁部５ｂには、縦方向へ延びる弾性部材１７が伸長状態で取り付けられている。弾性部材１７は、自由縁部５ｂの一部に被覆されている。
【００２４】
両側縁部７にカフ５を取り付けるときには、カフ５が縦方向へ伸長状態にあり、表裏面シート２，３が横方向と縦方向とへ非伸長状態にある。おむつ１Ａでは、それが表面シート２を内側にして縦方向へ湾曲し、カフ５と弾性部材１６とが縦方向へ収縮してその自由縁部５ｂが表面シート２の上方へ起立している。
【００２５】
おむつ１Ａの両端縁部６では、表面シート２の端部２ａと裏面シート３の端部３ａとがコア４の端縁４ａから縦方向外方へ延び、それら端部２ａ，３ａの互いに重なり合う部分が固着されている。カフ５の固定両端部５ｃは、表面シート２の端部２ａに固着されている。胴周り用弾性部材８は、表面シート２の端部２ａと裏面シート３ａの端部との間に介在し、それら端部２ａ，３ａに固着されている。
【００２６】
おむつ１Ａの両側縁部７では、表面シート２の側部２ｂがコア４の両側縁４ｂから横方向外方へわずかに延び、表面シート２の側部２ｂからさらに横方向外方へ裏面シート３の側部３ｂとカフ５の側部５ｄとが延びている。側部２ｂは、側部３ｂと側部５ｄとの間に介在し、それら側部３ｂ，５ｄに固着されている。側部３ｂと側部５ｄとは、それら側部３ｂ，５ｄの互いに重なり合う部分が固着されている。カフ５の固定縁部５ａは、表面シート２の側部２ｂに固着されている。脚周り用弾性部材９は、裏面シート３の側部３ｂとカフ５の側部５ｄとの間に介在し、それら側部３ｂ，５ｄに固着されている。
【００２７】
図４，５は、前後胴周り域２０，２２を連結した着用状態で示す図１のおむつ１Ａの斜視図と、図４のＣ−Ｃ線端面図とである。おむつ１Ａを着用するには、後胴周り域２２の両側縁部７を前胴周り域２０の両側縁部７の外側に重ね合わせ、テープファスナ１０の自由端部１０ｂに取り付けられたフック部材１２を非固定部位１５に延びる長繊維に係合させる。前後胴周り域２０，２２が連結されたおむつ１Ａには、図４に示すように、胴周り開口１８と、一対の脚周り開口１９とが画成される。
【００２８】
おむつ１Ａの着用時では、前胴周り域２０が矢印Ｚの方向へ伸長する。おむつ１Ａでは、前胴周り域２０の伸縮性が繊維集合物１３の固定部位１４に拘束される。しかし、固定部位１４を除く前胴周り域２０の残余領域では、その伸縮性が繊維集合物１３によって拘束されることなく、前胴周り域２０の残余領域における伸縮性が失われることはない。おむつ１Ａでは、起立したカフ５の自由縁部５ｂが排泄物に対する障壁を形成し、両側縁部７からの排泄物の漏れを防ぐことができる。
【００２９】
図６，７は、他の実施の形態を示す使い捨ておむつ１Ｂの部分破断斜視図と、図６のＤ−Ｄ線端面図とであり、図８は、図６のＥ−Ｅ線端面図である。図９，１０は、前後胴周り域２０，２２を連結した着用状態で示す図６のおむつ１Ｂの斜視図と、図９のＦ−Ｆ線端面図とである。図５のおむつ１Ｂが図１のそれと異なる点は、以下のとおりである。
【００３０】
このおむつ１Ｂのターゲットテープ１１は、図１のおむつ１Ｂと同様の繊維集合物１３と、縦方向と横方向とヘ弾性伸縮性を有する可撓性のシート部材２３とから形成されている。繊維集合物１３では、その上下端部１３ａ，１３ｂと上下端部１３ａ，１３ｂの間とに多数の固定部位１４が形成され、固定部位１４の間に多数の非固定部位１５が形成されている。繊維集合物１３では、非固定部位１５が裏面シート３の外面外方へ向かって隆起している。
【００３１】
シート部材２３は、横方向へ長い矩形のもので、その外面に多数の繊維集合物１３が横方向へ所与寸法離間並行して縦方向へ延びている。繊維集合物１３は、その固定部位１４がホットメルト型接着剤１６を介してシート部材２３に固着されている。シート部材２３に繊維集合物１３を固着するときには、シート部材２３が横方向と縦方向とへ非伸長状態にある。シート部材２３と繊維集合物１３との固着は、ヒートシールや超音波接合等の熱による溶着手段を利用してもよい。
【００３２】
シート部材２３は、その内面が繊維集合物１３の固定部位１４近傍において裏面シート３の外面に固着されている。裏面シート３にシート部材２３を固着するときには、表裏面シート２，３とシート部材２３とが横方向と縦方向とへ非伸長状態にある。裏面シート３とシート部材２３との固着は、ホットメルト型接着剤２４を使用している。
【００３３】
このおむつ１Ｂでは、ターゲットテープ１１が繊維集合物１３とシート部材２３とから形成されているので、着用者の腹部を表裏面シート２，３とシート部材２３とで締め付けることができる。おむつ１Ｂの前胴周り域２０では、表裏面シート２，３とシート部材２３とが協働して着用者の腹部を強く締め付けるので、おむつ１Ｂのずれ下がり防止を向上させることができる。
【００３４】
このおむつ１Ｂにおける裏面シート３とシート部材２３との固着では、表裏面シート２，３が横方向と縦方向とへ非伸長状態にあり、シート部材２３が横方向へ伸長状態にあってもよい。
【００３５】
それら図示例のおむつ１Ａ，１Ｂでは、裏面シート３が横方向と縦方向とへ弾性伸縮性を有するシートから形成され、表面シート２が非伸縮性のシートから形成されていてもよい。この場合では、横方向と縦方向との少なくとも横方向へ伸長させた状態にある裏面シート３の内面に表面シート２の内面を重ね合わせ、表裏面シート２，３の両端縁部２ａ，３ａと両側縁部２ｂ、３ｂとを固着する。
【００３６】
それら図示例のおむつ１Ａ，１Ｂは、それらを着用したときに、横方向へ所与倍率で伸長することができるもので、非伸長状態にある前後胴周り域２０，２２と股下域２１とを横方向へ伸長させたときのそれら域２０，２１，２２の伸長倍率が３０〜２００％の範囲にあることが好ましい。
【００３７】
それら図示例のおむつ１Ａ，１Ｂでは、非伸長状態にある表裏面シート２，３に繊維集合物１３またはシート部材２３が固着されているが、わずかに伸長させた状態にある表裏面シート２，３に繊維集合物１３またはシート部材２３を固着してもよい。ここで、表裏面シート２，３をわずかに伸長させるとは、０％を超過し３０％未満の範囲の伸長倍率でそれらシート２，３を横方向へ伸長させることをいう。
【００３８】
おむつ１Ａ，１Ｂでは、繊維集合物１３どうしが互いに平行して縦方向へ略直状に延びているが、それら繊維集合物１３がおむつ１Ａ，１Ｂの横方向中央部または両側縁部７へ向かって縦方向へ傾斜するように延びていてもよく、それら繊維集合物１３が縦方向へ曲折して延びていてもよい。それらおむつ１Ａ，１Ｂに取り付けられた繊維集合物１３の個数については、図示例の６個に限定するものではなく、おむつ１Ａ，１Ｂに６個未満または６個を超過する繊維集合物１３が取り付けられていてもよい。
【００３９】
繊維集合物１３は、多数の長繊維を集合させたものの他に、繊維不織布や編物、織物等を使用することもできる。不織布としては、ニードルパンチ、スパンボンド、ポイントボンド、スパンレース等の各製法により製造されたものを使用することができる。不織布の構成繊維には、ターゲットテープ１１の破損を防止するために繊維強度の高いナイロンやポリエチレン、ポリプロピレン、ポリエステル等の合成繊維を使用することが好ましい。不織布の構成繊維には、合成繊維の他に、天然繊維や再生繊維を使用することもできる。編物には、トリコット編等を使用することができる。
【００４０】
表面シート２には、伸縮性または非伸縮性の繊維不織布に親水処理を施したものを使用することが好ましい。また、表面シート２には、繊維不織布の他に、微細な多数の開孔を有する伸縮性または非伸縮性のプラスチックフィルムを使用することができる。
【００４１】
裏面シート３には、伸縮性かつ疎水性の繊維不織布、伸縮性かつ不透液性のプラスチックフィルム、伸縮性かつ疎水性の繊維不織布を重ね合わせた２層の不織布、それぞれ伸縮性を有する疎水性の繊維不織布と不透液性のプラスチックフィルムとをラミネートした複合シートのいずれかを使用することができる。また、裏面シート３には、それぞれ非伸縮性の繊維不織布とプラスチックフィルムとの間に弾性伸縮性を有するシート状、帯状、糸状のエラストマーを介在させ、横方向へ伸長状態にあるそれらエラストマーを不織布とフィルムとに固着した複合シートを使用することもできる。
【００４２】
防漏カフ５には、伸縮性かつ疎水性の繊維不織布を使用することができる。シート部材２３には、伸縮性かつ疎水性の繊維不織布、または、伸縮性かつ不透液性のプラスチックフィルムのいずれかを使用することができる。
【００４３】
非伸縮性の繊維不織布としては、スパンレース、ニードルパンチ、メルトブローン、サーマルボンド、スパンボンド、ケミカルボンド、エアースルー等の各製法により製造されたものを使用することができる。非伸縮性の不織布の構成繊維には、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００４４】
伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。また、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００４５】
長繊維は、多数の連続フィラメントのトウをウェブに開繊して得られるものであり、フック部材１２との係合が容易になるように多数の捲縮を有していてもよい。長繊維は、その繊度が０．５〜７０ＤＴＥＸの範囲、その坪量が２０〜１５０ｇ／ｍ２の範囲にあることが好ましい。
【００４６】
連続フィラメントには、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００４７】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４８】
表裏面シート２，３の固着、防漏カフ５の固着、表面シート２に対するコア４の接合、弾性部材８，９，１７の取り付けには、ホットメルト型接着剤、または、ヒートシールや超音波接合等の熱による溶着手段を使用することができる。
【００４９】
この発明は、開放型のおむつの他に、開放型のおむつカバーにも実施することができる。
【００５０】
【発明の効果】
本発明にかかる使い捨て着用物品によれば、ターゲットテープが多数の繊維を集合させた繊維集合物から形成されており、多数の繊維集合物が前胴周り域の外面を横方向へ所与寸法離間並行して縦方向へ延び、かつ、繊維集合物の固定部位が前胴周り域の外面に固着されているので、繊維集合物の固定部位を除く前胴周り域の残余領域における伸縮性が繊維集合物に拘束されることはなく、前胴周り域の残余領域における伸縮性が失われることはない。
【００５１】
ターゲットテープが弾性伸縮性を有する可撓性のシート部材とシート部材に固着された前記繊維集合物とから形成された物品では、前胴周り域の残余領域における伸縮性が失われることがないことはもちろんのこと、前胴周り域とシート部材とが協働して着用者の腹部を締め付けるので、おむつのずれ下がり防止を向上させることができる。
【図面の簡単な説明】
【図１】表面シートの側から示す使い捨ておむつの部分破断斜視図。
【図２】図１のＡ−Ａ線端面図。
【図３】図１のＢ−Ｂ線端面図。
【図４】前後胴周り域を連結した着用状態で示す図１のおむつの斜視断面図。
【図５】図４のＣ−Ｃ線端面図。
【図６】他の実施の形態を示す使い捨ておむつ１Ｂの部分破断斜視図。
【図７】図６のＤ−Ｄ線端面図。
【図８】図６のＥ−Ｅ線端面図。
【図９】前後胴周り域を連結した着用状態で示す図５のおむつの斜視断面図。
【図１０】図９のＦ−Ｆ線端面図。
【符号の説明】
１Ａ          使い捨ておむつ（使い捨て着用物品）
１Ｂ          使い捨ておむつ（使い捨て着用物品）
２            透液性表面シート
３            不透液性裏面シート
４            吸液性コア
６            両端縁部
７            両側縁部
１０            テープファスナ
１１            ターゲットテープ
１３            繊維集合物
１４            固定部位
１５            非固定部位
２０            前胴周り域
２１            股下域
２２            後胴周り域
２３            シート部材
【図１】
0003819246.tif 000002
【図２】
0003819246.tif 000003
【図３】
0003819246.tif 000004
【図４】
0003819246.tif 000005
【図５】
0003819246.tif 000006
【図６】
0003819246.tif 000007
【図７】
0003819246.tif 000008
【図８】
0003819246.tif 000009
【図９】
0003819246.tif 000010
【図１０】
0003819246.tif 000011